(57)【要約】  通信ネットワークにおいてトラフィックを送信する方法（１０）。この方法は、クライアントビットレートを有し且つ送信されるトラフィックを含むクライアント信号を受信すること（１２）と、前記クライアントビットレートを示すインジケータを監視すること（１２）とを含む。この方法は、トラフィックを送信する送信ビットレートを設定すること（１６）を更に含む。送信ビットレートは、前記クライアントビットレートに依存して設定される。この方法は、送信装置により送信ビットレートでトラフィックを送信するように構成された制御信号を生成して送信すること（１８）を更に含む。
2013541262.tif 000002
【特許請求の範囲】
【請求項１】
通信ネットワークにおいてトラフィックを送信する方法であって、
クライアントビットレートを有し且つ送信されるトラフィックを含むクライアント信号を受信することと、
前記クライアントビットレートを示すインジケータを監視することと、
前記トラフィックを送信する前記クライアントビットレートに依存して設定される送信ビットレートを設定することと、
送信装置により前記送信ビットレートで前記トラフィックを送信するように構成された制御信号を生成して送信することと
を含むことを特徴とする方法。
【請求項２】
前記送信ビットレートは、前記クライアントビットレートに依存してマスタビットレートに対する分割率を判定することで設定され、前記制御信号は、前記マスタビットレートでマスタクロック信号を受信し且つ前記マスタクロック信号を前記分割率で分割することにより生成されたクロック信号を含むことを特徴とする請求項１記載の方法。
【請求項３】
第１のクライアントビットレートを有し且つ送信される第１のトラフィックを含む第１のクライアント信号を受信すること、並びに次に第２のクライアントビットレートを有し且つ送信される第２のトラフィックを含む第２のクライアント信号を受信することと、
前記第１のクライアントビットレートに依存して第１の送信ビットレートを設定すること、並びに前記第２のクライアントビットレートに依存して第２の送信ビットレートを設定することと、
フレーマにより前記第１の送信ビットレートで前記第１のトラフィックを１つ以上の第１のフレームにフレーム化するように構成された第１の制御信号及び前記フレーマにより前記第２の送信ビットレートで前記第２のトラフィックを１つ以上の後続フレームにフレーム化するように構成された第２の制御信号を生成して送信することであり、前記第２の送信ビットレートが前記第１の送信ビットレートとは異なる場合、前記第２の制御信号は、前記フレーマによりフレーム境界において前記第１の送信ビットレートから前記第２の送信ビットレートへの変更を実現するように更に構成されることとを含むことを特徴とする請求項１又は２記載の方法。
【請求項４】
前記第１の制御信号は、前記フレーマにより前記第１のフレームのペイロードにおいて前記第１のトラフィックの一部をフレーム化し且つ前記第１のフレームのオーバヘッドにおいて前記第２の送信ビットレートを示す情報を提供するように構成されることを特徴とする請求項３記載の方法。
【請求項５】
前記第１のフレームは光伝送ネットワークフレームを含むことを特徴とする請求項４記載の方法。
【請求項６】
受信機装置において送信トラフィックを受信すること、並びに前記送信ビットレートの値が使用可能であるかを判定することと、前記送信ビットレートの値が使用不可の場合、更なる送信装置によりデフォルト送信ビットレートでトラフィックを送信するように構成されたリカバリ信号を前記送信装置に生成させて送信させることとを更に含むことを特徴とする請求項１から５のいずれか１項に記載の方法。
【請求項７】
前記リカバリ信号は、前記リモート送信装置により前記デフォルト送信ビットレートで伝送信号上の前記トラフィックを再送信するように構成されることを特徴とする請求項６記載の方法。
【請求項８】
前記リカバリ信号は所定のリカバリ信号送信ビットレートで送信され、フレームのペイロードにおいて前記リカバリ信号をフレーム化することと、前記フレームのオーバヘッドにおいてリカバリ信号識別子を提供することとを含むことを特徴とする請求項６又は７記載の方法。
【請求項９】
入力トラフィック待ち行列バッファにおいて前記クライアント信号の各々を受信することと、前記待ち行列バッファが充填される速度を監視することとを含むことを特徴とする請求項１から８のいずれか１項に記載の方法。
【請求項１０】
前記インジケータはクライアントビットレート信号を含むことを特徴とする請求項１から８のいずれか１項に記載の方法。
【請求項１１】
クライアントビットレートを有し且つ送信されるトラフィックを含むクライアント信号を受信するように構成された入力部と、
前記クライアントビットレートを示すインジケータを監視するように構成されたクライアント信号監視装置と、
前記受信したトラフィックを送信する前記クライアントビットレートに依存して設定される送信ビットレートを設定するように構成され、送信装置により前記送信ビットレートで前記トラフィックを送信するように構成された制御信号を生成して送信するように更に構成された送信ビットレート制御装置と、
前記制御信号を受信し且つ前記トラフィックを搬送する伝送信号を生成して送信するように構成された送信装置と、
を備えることを特徴とする通信ネットワーク送信要素。
【請求項１２】
前記送信ビットレート制御装置は、前記クライアントビットレートに依存して分割率を判定するように構成された制御器と、マスタビットレートを有するマスタクロック信号を生成するように構成されたクロックと、前記分割率を受信し、且つ前記マスタクロック信号を前記分割率で分割して前記制御信号を形成するように構成された分割器とを備えることを特徴とする請求項１１記載の通信ネットワーク送信要素。
【請求項１３】
前記入力部は、第１のクライアントビットレートを有し且つ送信される第１のトラフィックを含む第１のクライアント信号を受信し、且つ次に第２のクライアントビットレートを有し且つ送信される第２のトラフィックを含む第２のクライアント信号を受信するように構成され、前記送信装置はフレーマを備え、前記送信ビットレート制御装置は、前記第１のトラフィックを送信する前記第１のクライアントビットレートに依存して第１の送信ビットレートを設定し、且つ前記第２のトラフィックを送信する前記第２のクライアントビットレートに依存して第２の送信ビットレートを設定するように構成され、前記フレーマにより前記第１の送信ビットレートで前記第１のトラフィックを１つ以上の第１のフレームにフレーム化するように構成された第１の制御信号及び前記フレーマにより前記第２の送信ビットレートで前記第２のトラフィックを１つ以上の後続フレームにフレーム化するように構成された第２の制御信号を生成して送信するように更に構成され、前記第２の送信ビットレートが前記第１の送信ビットレートとは異なる場合、前記第２の制御信号は、前記フレーマによりフレーム境界において前記第１の送信ビットレートから前記第２の送信ビットレートへの変更を実現するように更に構成されることを特徴とする請求項１１又は１２記載の通信ネットワーク送信要素。
【請求項１４】
前記第１の制御信号は、前記フレーマにより前記第１のフレームのペイロードにおいて前記第１のトラフィックの一部をフレーム化し且つ前記第１のフレームのオーバヘッドにおいて前記第２の送信ビットレートを示す情報を提供するように構成されることを特徴とする請求項１３記載の通信ネットワーク送信要素。
【請求項１５】
前記第１のフレームは光伝送ネットワークフレームを含むことを特徴とする請求項１３又は１４記載の通信ネットワーク送信要素。
【請求項１６】
前記クライアント信号監視装置は、前記クライアントビットレートを示すクライアントビットレート信号を監視するように構成されることを特徴とする請求項１１から１５のいずれか１項に記載の通信ネットワーク送信要素。
【請求項１７】
前記クライアント信号監視装置は、入力トラフィック待ち行列バッファを含み、前記待ち行列バッファが充填される速度を監視するように構成されることを特徴とする請求項１１から１５のいずれか１項に記載の通信ネットワーク送信要素。
【請求項１８】
前記送信装置によりデフォルト送信ビットレートでトラフィックを搬送する伝送信号を送信するように構成されたリカバリ信号を受信するように構成された受信機を更に備えることを特徴とする請求項１１から１６のいずれか１項に記載の通信ネットワーク送信要素。
【請求項１９】
トラフィックを搬送し且つ送信ビットレートを有する伝送信号を受信するように構成された入力部と、
前記送信ビットレートの値が使用可能であるかを判定するように構成され、前記送信ビットレートの値が使用不可の場合にリモート送信装置によりデフォルト送信ビットレートでトラフィックを搬送する伝送信号を送信するように構成されたリカバリ信号を生成するように更に構成される伝送信号問合せ装置と、
前記リカバリ信号を送信するように構成されたローカル送信装置と、
を備えることを特徴とする通信ネットワーク要素。
【請求項２０】
前記リカバリ信号は、前記リモート送信装置により前記デフォルト送信ビットレートで伝送信号上の前記トラフィックを再送信するように構成されることを特徴とする請求項１９記載の通信ネットワーク要素。
【請求項２１】
前記ローカル送信装置は、所定のリカバリ信号送信ビットレートで前記リカバリ信号を送信するように構成され、フレームのペイロードにおいて前記リカバリ信号をフレーム化し、且つ前記フレームのオーバヘッドにおいてリカバリ信号識別子を提供するように更に構成されることを特徴とする請求項１９又は２０記載の通信ネットワーク要素。
【請求項２２】
請求項１１から１８のいずれか１項に記載の通信ネットワーク送信要素と、
請求項１９から２１のいずれか１項に記載の通信ネットワーク要素と、
を備えることを特徴とする通信ネットワーク。
【請求項２３】
通信ネットワークにおいて送信トラフィックをフレーム化する方法であって、
第１のクライアントビットレートを有し且つ第１の送信ビットレートで送信される第１のトラフィックを含む第１のクライアント信号を受信することと、
第２のクライアントビットレートを有し且つ第２の送信ビットレートで送信される第２のトラフィックを含む第２のクライアント信号を受信することと、
フレーマによりフレームのペイロードにおいて前記第１のトラフィックの一部をフレーム化し且つ前記フレームのオーバヘッドにおいて前記第２の送信ビットレートを示す情報を提供するように構成された制御信号を生成して送信することと
を含むことを特徴とする方法。
【請求項２４】
前記第１のクライアントビットレート及び前記第２のクライアントビットレートを示すインジケータを監視することと、
前記第１のクライアントビットレートに依存して前記第１の送信ビットレートを設定すること、並びに前記第２のクライアントビットレートに依存して前記第２の送信ビットレートを設定することと
を更に含むことを特徴とする請求項２３記載の方法。
【請求項２５】
前記フレームは光伝送ネットワーク網フレームを含むことを特徴とする請求項２３又は２４記載の方法。
【請求項２６】
通信ネットワークにおいてトラフィックの送信を制御する方法であって、
トラフィックを搬送し且つ送信ビットレートを有する伝送信号を受信することと、
前記送信ビットレートの値が使用可能であるかを判定することと、
前記送信ビットレートの値が使用不可の場合、リモート送信装置によりデフォルト送信ビットレートでトラフィックを送信するように構成されたリカバリ信号をローカル送信機装置に送信させることと
を含むことを特徴とする方法。
【請求項２７】
前記リカバリ信号は、前記リモート送信装置により前記デフォルト送信ビットレートで伝送信号上の前記トラフィックを再送信するように構成されることを特徴とする請求項２６記載の方法。
【請求項２８】
所定のリカバリ信号送信ビットレートで前記リカバリ信号を送信することと、フレームのペイロードにおいて前記リカバリ信号をフレーム化すること、並びに前記フレームのオーバヘッドにおいてリカバリ信号識別子を提供することとを更に含むことを特徴とする請求項２６又は２７記載の方法。
【請求項２９】
前記フレームは光伝送ネットワークフレームを含むことを特徴とする請求項２８記載の方法。
【発明の詳細な説明】
【技術分野】
【０００１】
本発明は、通信ネットワークにおいてトラフィックを送信する方法に関する。また本発明は、通信ネットワーク送信要素に関する。また本発明は、通信ネットワーク要素に関する。また本発明は、通信ネットワークに関する。また本発明は、通信ネットワークにおいて送信トラフィックをフレーム化する方法に関する。また本発明は、通信ネットワークにおいてトラフィックの送信を制御する方法に関する。
【背景技術】
【０００２】
一般消費者用製品及びプロ用製品の双方において、電気製品の電力効率を向上することが益々注目されてきている。通信事業者は、購入する製品に対する最小電力効率を特定し始めており、通信の標準化団体は、電力効率を向上する機能を採用し始めている。今までのところ、通信送信製品は効果的に取り組まれておらず、それらの多くは、搬送トラフィックの量に関係なく同量の電力を消費する。例えばパケットネットワークにおいて、トランスポンダは必要とされる消費電力の大部分を占め、光チャネルペイロードユニット（ＯＰＵ）のコンテンツが空のパケット又は満杯のパケットを含むかどうかにかかわらず同量の電力を使用する。バースト間の送信機をオフにすることでトラフィックが殆ど搬送されていない場合の消費電力を減少するために、バーストモード送信が提案されている。しかし、これには、クロックとバーストとを同期するために更なるオーバヘッドが必要である。更にバーストモード送信は、連続送信のために設計されている、導入済みの殆どの波長分割多重（ＷＤＭ）通信ネットワークインフラストラクチャと互換性がない。例えば、光伝送ネットワークにおいて使用されたエルビウム添加ファイバ増幅器及び電力モニタは、一般にバーストモード送信を実行するには不適切である。
【発明の概要】
【０００３】
本発明の目的は、通信ネットワークにおいてトラフィックを送信する改善された方法を提供することである。本発明の更なる目的は、改善された通信ネットワーク送信要素を提供することである。本発明の更なる目的は、改善された通信ネットワーク要素を提供することである。本発明の更なる目的は、改善された通信ネットワークを提供することである。本発明の更なる目的は、通信ネットワークにおいて送信トラフィックをフレーム化する改善された方法を提供することである。本発明の更なる目的は、通信ネットワークにおいてトラフィックの送信を制御する改善された方法を提供することである。
【０００４】
本発明の第１の態様は、通信ネットワークにおいてトラフィックを送信する方法を提供する。この方法は、クライアントビットレートを有し且つ送信されるトラフィックを含むクライアント信号を受信することと、前記クライアントビットレートを示すインジケータを監視することとを備える。方法は、トラフィックを送信する送信ビットレートを設定することを更に備える。送信ビットレートは、前記クライアントビットレートに依存して設定される。方法は、送信装置により送信ビットレートでトラフィックを送信するように構成された制御信号を生成して送信することを更に備える。
【０００５】
ネットワークにわたりトラフィックを送信できる最大送信ビットレートを下回るクライアントビットレートを有するクライアント信号を受信することに応答して、方法により送信ビットレートの低下を行ってもよい。送信ビットレートの低下により、トラフィックの送信中の消費電力は減少するだろう。方法により、受信したトラフィック負荷に一致するように消費電力を変動できてもよい。方法により、連続的だがネットワーク又は送信装置の能力に対する最大より低い送信ビットレートでトラフィック送信を継続できてもよいため、現在インストールされている波長分割多重ネットワークインフラストラクチャと組み合わせて方法を使用できてもよい。
【０００６】
一実施形態において、送信ビットレートは、前記クライアントビットレートに依存してマスタビットレートに対する分割率を判定することで設定される。制御信号は、マスタビットレートでマスタクロック信号を受信し且つマスタクロック信号を分割率で分割することにより生成されたクロック信号を含む。これにより、送信ビットレートを設定し且つ制御信号を生成する単純な機構を提供してもよい。送信ビットレートは分割率を変更することで変動するが、マスタクロック信号は一定のマスタビットレートを有する。これにより、入力信号にロックされた一定のビットレートで動作できる受信機でのクロックの再生が容易になるだろう。
【０００７】
一実施形態において、ビットレートは、前記トラフィックの量に依存して分割率の集合から分割率を選択することで設定される。分割率を判定するのではなく分割率の集合の中から適切な分割率を１つ選択すればよいため、これにより方法の動作が更に簡略化されるだろう。一実施形態において、中間ビットレートは、分割率の集合から選択された複数の分割率の各々の間で周期的に切り替わることで設定されてもよい。中間ビットレートは、前記分割率での送信ビットレートの平均を含む。
【０００８】
一実施形態において、方法は、第１のクライアントビットレートを有し且つ送信される第１のトラフィックを含む第１のクライアント信号を受信すること、並びに次に第２のクライアントビットレートを有し且つ送信される第２のトラフィックを含む第２のクライアント信号を受信することを備える。第１の送信ビットレートは、第１のクライアントビットレートを示すインジケータを監視することで設定され、第２の送信ビットレートは、第２のクライアントビットレートを示すインジケータを監視することで設定される。方法は、第１の制御信号及び第２の制御信号を生成して送信することを更に備える。第１の制御信号は、フレーマにより第１の送信ビットレートで第１のトラフィックを１つ以上の第１のフレームにフレーム化するように構成される。フレーマにより第２の送信ビットレートで第２のトラフィックを１つ以上の後続フレームにフレーム化するように構成された第２の制御信号。第２の送信ビットレートが第１の送信ビットレートとは異なる場合、第２の制御信号は、フレーマによりフレーム境界において第１の送信ビットレートから第２の送信ビットレートへの変更を実現するように更に構成される。フレーム境界においてのみビットレートを変更することにより、第１の送信ビットレートから第２の送信ビットレートへのクリーンな転換が実現されることを保証してもよく、第１のフレームから後続フレームへのトラフィックの流出を防止してもよい。
【０００９】
一実施形態において、第１の制御信号は、フレーマにより前記第１のフレームのペイロードにおいて第１のトラフィックの一部をフレーム化するように構成される。第１の制御信号は、フレーマにより前記第１のフレームのオーバヘッドにおいて第２の送信ビットレートを示す情報を提供するように更に構成される。これにより、トラフィックを受信する受信機は、送信ビットレートの変化を追跡し且つ異なる送信ビットレートでトラフィックを受信する準備ができてもよい。
【００１０】
一実施形態において、フレームは光伝送ネットワークフレームを含む。一実施形態において、光伝送ネットワークフレームは、ＩＴＵ−Ｔ勧告Ｇ．７０９により規定されるような光伝送ネットワークフレームを含む。一実施形態において、制御信号は、フレーマにより、前記第１のフレームのオーバヘッドの行１及び２のどちらか一方のバイト１５、前記第１のフレームのオーバヘッドの行３のバイト１３〜１５の１つ、並びに前記第１のフレームのオーバヘッドの行４のバイト９〜１４及び１６の１つのうちの１つにおいて第２の送信ビットレートを示す情報を提供するように構成される。従って、情報は、通常位置揃え制御のために割り当てられるが、位置揃え制御が一定のビットレートトラフィックを送信する場合にのみ必要とされるためにこの方法において必要でない行１〜４においてバイト１６を含むトラフィックの送信と組み合わせて使用されていないオーバヘッドのあらゆる使用可能なバイトで提供されてもよい。
【００１１】
一実施形態において、制御信号は、フレーマにより第１の複数の前記バイトで第２の送信ビットレートを示す前記情報を提供するように構成される。第１の複数のバイトは、オーバヘッドの第２の複数の行に配置される。これにより、送信エラーに対する冗長性を提供してもよい。
【００１２】
一実施形態において、第２の送信ビットレートを示す情報は、第２のビットレートがマスタビットレート、１／２のマスタビットレート、１／３のマスタビットレート及び１／４のマスタビットレートのうちの１つを含むことを示すように符号化された複数のビットを含む。
【００１３】
一実施形態において、第２の送信ビットレートを示す情報は、マスタビットレートを示す００１、１／２のマスタビットレートを示す０．１０、１／３のマスタビットレートを示す１００及び１／４のマスタビットレートを示す１１０のうちの１つとして符号化された３つのビットを含む。
【００１４】
一実施形態において、方法は、受信機装置において送信トラフィックを受信すること、並びに送信ビットレートの値が使用可能であるかを判定することを更に備える。送信ビットレートの値が使用不可の場合、方法は、更なる送信装置によりリカバリ信号を生成して送信することを更に備える。リカバリ信号は、送信装置によりデフォルト送信ビットレートでトラフィックを送信するように構成される。従って、逆方向情報は、受信機装置から送信装置に送出され、受信機装置のビットレートの低下を送信装置に通知してもよい。デフォルト送信ビットレートでトラフィックを送信することにより、受信機装置において送信ビットレートとフレームとの同期を取り戻すことが容易になるだろう。一実施形態において、リカバリ信号は、リモート送信装置によりデフォルト送信ビットレートで伝送信号上のトラフィックを再送信するように構成される。従って、送信ビットレートが受信機装置において使用不可であったトラフィックを損失する危険性は減少するだろう。
【００１５】
一実施形態において、リカバリ信号は、所定のリカバリ信号送信ビットレートで送信される。方法は、フレームのペイロードにおいてリカバリ信号をフレーム化すること、並びにフレームのオーバヘッドにおいてリカバリ信号識別子を提供することを備える。一実施形態において、リカバリ信号識別子は、１０として符号化された２つのビットを含む。
【００１６】
一実施形態において、受信機装置は受信機軟判定及び等化器を備え、方法は、送信ビットレートを受信機軟判定及び等化器に提供することを更に備える。これにより、軟判定及び等化器に対する閾値レベルの予測がより簡単になるだろう。
【００１７】
一実施形態において、方法は、入力トラフィック待ち行列バッファにおいて前記クライアント信号の各々を受信することと、待ち行列バッファが充填される速度を監視することとを備える。一実施形態において、待ち行列バッファが充填される速度は、待ち行列バッファの充填レベルが閾値充填レベルに到達する時を監視することで監視される。一実施形態において、入力トラフィック待ち行列バッファは先入れ先出しバッファを含む。入力トラフィック待ち行列が充填される場合にトラフィックがより高い送信ビットレートで送信されるため、待ち行列バッファを使用することにより遅延時間変動は減少するだろう。
【００１８】
一実施形態において、インジケータは、クライアントビットレートを示すクライアントビットレート信号を含む。一実施形態において、クライアントビットレート信号は、ネットワーク管理システムから受信される。一実施形態において、通信ネットワークは光伝送ネットワークを含む。送信ビットレートは、光チャネル伝送ユニットクロックレートで判定される。一実施形態において、通信ネットワークは同期デジタル階層ネットワークを含む。送信ビットレートは、ネットワークの同期伝送モジュールにより判定される。
【００１９】
一実施形態において、通信ネットワークは光パケットネットワークである。
一実施形態において、方法は、受信した送信トラフィックをデフレーム化すること及びトラフィックの全パケットが受信されるまでデフレーム化トラフィックを待ち行列バッファにおいて保有することと、次にデフレーム化トラフィックを出力クライアント信号インタフェースに配信することとを更に備える。受信した送信トラフィックが出力クライアント信号ビットレートより低い送信ビットレートを有する場合、これによりパケットアンダランを防止してもよい。
【００２０】
一実施形態において、方法は送信装置の温度を取得することを更に備え、分割率は温度に依存して更に設定される。周辺温度に依存して送信ビットレートが低下することにより、送信装置を冷却するのに必要な電力は減少するだろう。従って、方法は、周辺温度が閾値を超えて上昇する場合に送信ビットレートが低下するように使用されてもよい。これは、クライアントビットレートが送信装置の最大送信ビットレート能力を下回る場合に実現されてもよい。
【００２１】
本発明の第２の態様は、入力部と、クライアント信号監視装置と、送信ビットレート制御装置と、送信装置とを備える通信ネットワーク送信要素を提供する。入力部は、クライアントビットレートを有し且つ送信されるトラフィックを含むクライアント信号を受信するように構成される。クライアント信号監視装置は、前記クライアントビットレートを示すインジケータを監視するように構成される。送信ビットレート制御装置は、受信したトラフィックを送信する送信ビットレートを設定するように構成される。送信ビットレートは、前記クライアントビットレートに依存して設定される。送信ビットレート制御装置は、送信装置により送信ビットレートでトラフィックを送信するように構成された制御信号を生成して送信するように更に構成される。送信装置は、制御信号を受信し且つトラフィックを搬送する伝送信号を生成して送信するように構成される。
【００２２】
送信要素は、送信要素の最大送信ビットレート能力を下回るクライアントビットレートを有するクライアント信号を受信することに応答して、送信ビットレートの低下を行ってもよい。送信ビットレートの低下により、送信要素、特に送信装置における消費電力は減少するだろう。従って、送信要素の消費電力は、受信したトラフィック負荷に一致するように変動してもよい。送信要素は、連続的だが最大能力より低い送信ビットレートでトラフィックの送信を継続できる。従って、送信要素は、現在インストールされている波長分割多重ネットワークインフラストラクチャ内で使用されてもよい。
【００２３】
一実施形態において、送信ビットレート制御装置は、制御器と、クロックと、分割器とを備える。制御器は、前記クライアントビットレートに依存して分割率を判定するように構成される。クロックは、マスタビットレートを有するマスタクロック信号を生成するように構成される。分割器は、分割率を受信し、且つマスタクロック信号を分割率で分割して制御信号を形成するように構成される。従って、送信ビットレート制御装置は、送信ビットレートを設定し且つ制御信号を生成する単純な機構で動作してもよい。送信ビットレートは分割率を変更することで変動するが、マスタクロック信号は一定のマスタビットレートを有する。これにより、入力信号にロックされた一定のビットレートで動作できる受信機でのクロックの再生が容易になるだろう。
【００２４】
一実施形態において、分割率は、前記トラフィックの量に依存して分割率の集合から設定される。分割率を判定するのではなく分割率の集合の中から適切な分割率を１つ選択すればよいため、これにより送信ビットレート制御装置の動作が更に簡略化されるだろう。一実施形態において、制御器は、分割率の集合から選択された複数の分割率の各々の間で周期的に切り替わることにより、中間ビットレートでビットレートを設定するように構成される。中間ビットレートは、前記分割率でのビットレートの平均を含む。
【００２５】
一実施形態において、入力部は、第１のクライアントビットレートを有し且つ送信される第１のトラフィックを含む第１のクライアント信号を受信し、且つ次に第２のクライアントビットレートを有し且つ送信される第２のトラフィックを含む第２のクライアント信号を受信するように構成される。送信装置はフレーマを備える。送信ビットレート制御装置は、第１のトラフィックを送信する第１のクライアントビットレートに依存して第１の送信ビットレートを設定するように構成される。送信ビットレート制御装置は、第２のトラフィックを送信する第２のクライアントビットレートに依存して第２の送信ビットレートを設定するように構成される。送信ビットレート制御装置は、フレーマにより第１の送信ビットレートで第１のトラフィックを１つ以上の第１のフレームにフレーム化するように構成された第１の制御信号を生成して送信するように更に構成される。送信ビットレート制御装置は、フレーマにより第２の送信ビットレートで第２のトラフィックを１つ以上の後続フレームにフレーム化するように構成された第２の制御信号を生成して送信するように更に構成される。第２の送信ビットレートが第１の送信ビットレートとは異なる場合、第２の制御信号は、フレーマによりフレーム境界において第１の送信ビットレートから第２の送信ビットレートへの変更を実現するように更に構成される。フレーム境界においてのみ送信ビットレートを変更させることにより、第１の送信ビットレートから第２の送信ビットレートへのクリーンな転換が実現されることを保証してもよく、第１のフレームから後続フレームへのトラフィックの流出を防止してもよい。
【００２６】
一実施形態において、第１の制御信号は、フレーマにより前記第１のフレームのペイロードにおいて第１のトラフィックの一部をフレーム化するように構成される。第１の制御信号は、フレーマにより第１のフレームのオーバヘッドにおいて第２の送信ビットレートを示す情報を提供するように更に構成される。これにより、トラフィックを受信する受信機は、送信ビットレートの変化を追跡し且つ異なる送信ビットレートでトラフィックを受信する準備ができてもよい。
【００２７】
一実施形態において、フレームは光伝送ネットワークフレームである。一実施形態において、光伝送ネットワークフレームは、ＩＴＵ−Ｔ勧告Ｇ．７０９により規定されるような光伝送ネットワークフレームを含む。一実施形態において、制御信号は、フレーマにより、前記第１のフレームのオーバヘッドの行１及び２のどちらか一方のバイト１５、前記第１のフレームのオーバヘッドの行３のバイト１３〜１５の１つ、並びに前記第１のフレームのオーバヘッドの行４のバイト９〜１４及び１６の１つのうちの１つにおいて第２の送信ビットレートを示す情報を提供するように構成される。従って、情報は、通常位置揃え制御のために割り当てられるが、位置揃え制御が一定のビットレートトラフィックを送信する場合にのみ必要とされるためにこの方法において必要でない行１〜４においてバイト１６を含むトラフィックの送信と組み合わせて使用されていないオーバヘッドのあらゆる使用可能なバイトで提供されてもよい。
【００２８】
一実施形態において、制御信号は、フレーマにより第１の複数の前記バイトで第２の送信ビットレートを示す前記情報を提供するように構成される。第１の複数のバイトは、オーバヘッドの第２の複数の行に配置される。これにより、送信エラーに対する冗長性を提供してもよい。
【００２９】
一実施形態において、第２の送信ビットレートを示す情報は、第２のビットレートがマスタビットレート、１／２のマスタビットレート、１／３のマスタビットレート及び１／４のマスタビットレートのうちの１つを含むことを示すように符号化された複数のビットを含む。一実施形態において、第２のビットレートを示す情報は、マスタビットレートを示す００１、１／２のマスタビットレートを示す０．１０、１／３のマスタビットレートを示す１００及び１／４のマスタビットレートを示す１１０のうちの１つとして符号化された３つのビットを含む。
【００３０】
一実施形態において、クライアント信号監視装置は、クライアントビットレートを示すインジケータを監視するように構成される。一実施形態において、クライアント信号監視装置は、入力トラフィック待ち行列バッファを含む。クライアント信号監視装置は、待ち行列バッファが充填される速度を監視するように構成される。一実施形態において、クライアント信号監視装置は、待ち行列バッファの充填レベルが閾値充填レベルに到達する時を監視するように構成される。一実施形態において、入力トラフィック待ち行列バッファは先入れ先出しバッファを含む。入力トラフィック待ち行列が充填される場合にトラフィックがより高い送信ビットレートで送信されるため、待ち行列バッファを提供することにより、ネットワーク要素内の遅延時間変動は減少するだろう。
【００３１】
一実施形態において、クライアント信号監視装置は、クライアントビットレートを示すクライアントビットレート信号を監視するように構成される。一実施形態において、クライアントビットレート信号は、ネットワーク管理システムにより提供される。
【００３２】
一実施形態において、通信ネットワーク送信要素は、リカバリ信号を受信するように構成された受信機を更に備える。リカバリ信号は、送信機装置によりデフォルト送信ビットレートでトラフィックを搬送する伝送信号を送信するように構成される。従って、逆方向情報は、例えば更なる送信要素においてリモート送信装置から受信されて、リモート送信要素における受信機装置の送信ビットレートの低下を送信要素に通知してもよい。デフォルト送信ビットレートでトラフィックを送信することにより、リモート送信要素において送信ビットレートとフレームとの同期を取り戻すことが容易になるだろう。一実施形態において、リカバリ信号は、送信機装置によりデフォルト送信ビットレートで伝送信号上のトラフィックを再送信するように構成される。従って、送信ビットレートがリモート送信要素において使用不可であったトラフィックを損失する危険性は減少するだろう。
【００３３】
一実施形態において、通信ネットワークは光伝送ネットワークを含む。送信ビットレートは、光チャネル伝送ユニットクロックレートで判定される。一実施形態において、通信ネットワークは同期デジタル階層ネットワークを含む。同期デジタル階層ネットワークは、ＩＴＵ−Ｔ勧告Ｇ．７０７及び他ＩＴＵ−Ｔ勧告により規定されるようなＳＤＨネットワーク又は米国規格協会（ＡＮＳＩ）規格により規定されるようなＳＯＮＥＴネットワークであってもよい。送信ビットレートは、ネットワークの同期伝送モジュールにより判定される。
【００３４】
一実施形態において、通信ネットワーク送信要素は、光パケット通信ネットワーク送信要素を備える。
【００３５】
一実施形態において、通信ネットワーク送信要素は、送信装置の温度を測定するように構成された温度計を更に備え、送信ビットレート制御装置は、温度に依存して分割率を設定するように更に構成される。周辺温度に依存して送信ビットレートが低下することにより、送信装置を冷却するのに必要な電力は減少するだろう。従って、送信ビットレートは、周辺温度が閾値を超えて上昇する場合に冷却装置の必要とされる電力を制御するように低下してもよい。送信ビットレート制御装置は、クライアントビットレートが送信装置の最大送信ビットレート能力を下回る場合にこれを実現してもよい。本発明の第３の態様は、入力部と、伝送信号問合せ装置と、ローカル送信装置とを備える通信ネットワーク要素を提供する。入力部は、トラフィックを搬送し且つ送信ビットレートを有する伝送信号を受信するように構成される。伝送信号問合せ装置は、送信ビットレートの値が使用可能であるかを判定するように構成される。伝送信号問合せ装置は、送信ビットレートの値が使用不可の場合にリモート送信装置によりデフォルト送信ビットレートでトラフィックを搬送する伝送信号を送信するように構成されたリカバリ信号を生成するように更に構成される。ローカル送信装置は、リカバリ信号を送信するように構成される。
【００３６】
従って、ネットワーク要素は、例えば更なるネットワーク要素において逆方向情報をリモート送信装置に提供して、ネットワーク要素がビットレートの低下を送信装置に通知してもよい。リモート送信装置によりデフォルト送信ビットレートでトラフィックを送信することにより、ネットワーク要素において送信ビットレートとフレームとの同期を取り戻すことが容易になるだろう。
【００３７】
一実施形態において、リカバリ信号は、リモート送信装置によりデフォルト送信ビットレートで伝送信号上のトラフィックを再送信するように構成される。従って、送信ビットレートがネットワーク要素において使用不可であったトラフィックを損失する危険性は減少するだろう。
【００３８】
一実施形態において、ローカル送信装置は、所定のリカバリ信号送信ビットレートでリカバリ信号を送信するように構成される。。ローカル送信装置は、フレームのペイロードにおいてリカバリ信号をフレーム化し、且つフレームのオーバヘッドにおいてリカバリ信号識別子を提供するように構成される。一実施形態において、リカバリ信号識別子は、１０として符号化された２つのビットを含む。
【００３９】
一実施形態において、受信機装置は受信機軟判定及び等化器を備え、伝送信号監視装置は、送信ビットレートを受信機軟判定及び等化器に提供するように更に構成される。これにより、軟判定及び等化器に対する閾値レベルの予測がより簡単になるだろう。
【００４０】
一実施形態において、通信ネットワーク要素は、デフレーマと、待ち行列バッファとを更に含む。デフレーマは、伝送信号を受信し且つトラフィックをデフレーム化するように構成される。待ち行列バッファは、トラフィックの全パケットが受信されるまでデフレーム化トラフィックを受信及び保有し、且つ次にデフレーム化トラフィックを出力クライアント信号インタフェースに送信するように構成される。
【００４１】
本発明の第４の態様は、上述したような通信ネットワーク送信要素を備える通信ネットワークを提供する。
【００４２】
通信ネットワークは、送信要素の最大送信ビットレート能力を下回るクライアントビットレートを有する送信要素においてクライアント信号を受信することに応答して送信ビットレートの低下を行ってもよい。送信ビットレートの低下により、送信要素、特に送信装置における消費電力は減少するだろう。従って、送信要素の消費電力は、受信したトラフィック負荷に一致するように変動してもよい。従って、トラフィック送信は、ネットワークにわたり連続的だがネットワーク又はネットワークにおける送信装置の最大能力より低い送信ビットレートでトラフィックの送信を継続できる。
【００４３】
一実施形態において、通信ネットワークは、上述したような通信ネットワーク要素を更に備える。従って、ネットワーク要素から送信要素への逆方向情報は、ネットワーク要素がビットレートの低下を送信要素において送信装置に通知するように提供されてもよい。送信要素における送信装置によりデフォルト送信ビットレートでトラフィックを送信することにより、ネットワーク要素において送信ビットレートとフレームとの同期を取り戻すことが容易になるだろう。
【００４４】
本発明の第５の態様は、通信ネットワークにおいて送信トラフィックをフレーム化する方法を提供する。方法は、第１のクライアントビットレートを有し且つ送信される第１のトラフィックを含む第１のクライアント信号を受信することを備える。第１のクライアント信号は、第１の送信ビットレートで送信される。方法は、第２のクライアントビットレートを有し且つ送信される第２のトラフィックを含む第２のクライアント信号を受信することを更に備える。第２のクライアント信号は、第２の送信ビットレートで送信される。方法は、制御信号を生成して送信することを更に備える。制御信号は、フレーマによりフレームのペイロードにおいて第１のトラフィックの一部をフレーム化するように構成される。制御信号は、フレーマによりフレームのオーバヘッドにおいて第２の送信ビットレートを示す情報を提供するように更に構成される。
【００４５】
従って、後続フレームに対する送信ビットレートを示す情報は、受信機装置が後続の送
信ビットレートでトラフィックを受信する準備ができるようにしてもよい第１のフレームと共に送出されてもよい。
【００４６】
一実施形態において、方法は、前記第１のクライアントビットレートを示すインジケータ及び前記第２のクライアントビットレートを示すインジケータを監視することを更に備える。方法は、前記第１のクライアントビットレートに依存して第１の送信ビットレートを設定すること、並びに前記第２のクライアントビットレートに依存して第２の送信ビットレートを設定することを更に備える。
【００４７】
従って、送信ビットレートは、ネットワークにわたりトラフィックを送信できる最大送信ビットレートを下回るクライアントビットレートを有するクライアント信号を受信することに応答して低下してもよい。送信ビットレートの低下により、トラフィックの送信中の消費電力は減少するだろう。方法により、受信したトラフィック負荷に一致するように消費電力を変動できてもよい。方法により、連続的だがネットワークに対する最大より低い送信ビットレートでトラフィック送信を継続できてもよいため、現在インストールされている波長分割多重ネットワークインフラストラクチャと組み合わせて方法を使用できてもよい。
【００４８】
一実施形態において、フレームは光伝送ネットワークフレームを含む。一実施形態において、光伝送ネットワークフレームは、ＩＴＵ−Ｔ勧告Ｇ．７０９により規定されるような光伝送ネットワークフレームを含む。一実施形態において、制御信号は、フレーマにより、第１のフレームのオーバヘッドの行１及び２のどちらか一方のバイト１５、第１のフレームのオーバヘッドの行３のバイト１３〜１５の１つ、並びに第１のフレームのオーバヘッドの行４のバイト９〜１４及び１６の１つのうちの１つにおいて第２の送信ビットレートを示す情報を提供するように構成される。従って、情報は、通常位置揃え制御のために割り当てられるが、位置揃え制御が一定のビットレートトラフィックを送信する場合にのみ必要とされるためにこの方法において必要でない行１〜４においてバイト１６を含むトラフィックの送信と組み合わせて使用されていないオーバヘッドのあらゆる使用可能なバイトで提供されてもよい。
【００４９】
一実施形態において、制御信号は、フレーマにより第１の複数の前記バイトで第２の送信ビットレートを示す前記情報を提供するように構成される。第１の複数のバイトは、オーバヘッドの第２の複数の行に配置される。これにより、送信エラーに対する冗長性を提供してもよい。
【００５０】
一実施形態において、第２の送信ビットレートを示す情報は、第２のビットレートがマスタビットレート、１／２のマスタビットレート、１／３のマスタビットレート及び１／４のマスタビットレートのうちの１つを含むことを示すように符号化された複数のビットを含む。一実施形態において、第２の送信ビットレートを示す情報は、マスタビットレートを示す００１、１／２のマスタビットレートを示す０．１０、１／３のマスタビットレートを示す１００及び１／４のマスタビットレートを示す１１０のうちの１つとして符号化された３つのビットを含む。
【００５１】
一実施形態において、方法は、入力トラフィック待ち行列バッファにおいて前記クライアント信号の各々を受信することと、待ち行列バッファが充填される速度を監視することとを備える。一実施形態において、待ち行列バッファが充填される速度は、待ち行列バッファの充填レベルが閾値充填レベルに到達する時を監視することで監視される。一実施形態において、入力トラフィック待ち行列バッファは先入れ先出しバッファを含む。入力トラフィック待ち行列が充填される場合にトラフィックがより高い送信ビットレートで送信されるため、待ち行列バッファを使用することにより遅延時間変動は減少するだろう。
【００５２】
一実施形態において、インジケータは、クライアントビットレートを示すクライアントビットレート信号を含む。一実施形態において、クライアントビットレート信号は、ネットワーク管理システムから受信される。
【００５３】
本発明の第６の態様は、通信ネットワークにおいてトラフィックの送信を制御する方法を提供する。方法は、トラフィックを搬送し且つ送信ビットレートを有する伝送信号を受信することを備える。方法は、送信ビットレートの値が使用可能であるかを判定することを更に備える。送信ビットレートの値が使用不可の場合、方法は、ローカル送信機装置によりリカバリ信号を送信することを備える。リカバリ信号は、リモート送信装置によりデフォルト送信ビットレートでトラフィックを送信するように構成される。
【００５４】
従って、逆方向情報は、ローカル送信装置からリモート送信装置に送出されて、ビットレートが伝送信号に対して使用不可であることをリモート送信装置に通知してもよい。リモート送信装置によりデフォルト送信ビットレートでトラフィックを送信することにより、送信ビットレートとフレームとの同期を取り戻すことが容易になるだろう。
【００５５】
一実施形態において、リカバリ信号は、リモート送信装置によりデフォルト送信ビットレートで伝送信号上のトラフィックを再送信するように構成される。従って、送信ビットレートが使用不可であったトラフィックを損失する危険性は減少するだろう。
【００５６】
一実施形態において、方法は、所定のリカバリ信号送信ビットレートでリカバリ信号を送信することを更に備える。方法は、フレームのペイロードにおいてリカバリ信号をフレーム化すること、並びにフレームのオーバヘッドにおいてリカバリ信号識別子を提供することとを備える。一実施形態において、リカバリ信号識別子は、１０として符号化された２つのビットを含む。
【００５７】
一実施形態において、通信ネットワークは、光伝送ネットワーク及び同期デジタル階層ネットワークのいずれか一方を含む。送信ビットレートは、光チャネル伝送ユニットクロックレート、光チャネルデータユニットクロックレート及び光チャネルペイロードユニットクロックレートのうちの１つにより判定される。一実施形態において、通信ネットワークは、同期デジタル階層ネットワークを含む。送信ビットレートは、ネットワークの同期伝送モジュールにより判定される。本発明の第７の態様は、コンピュータ可読命令を含むデータ記憶媒体を提供する。前記コンピュータ可読命令は、プロセッサ上で使用可能なリソースへのアクセスを提供する。コンピュータ可読命令は、通信ネットワークにおいてトラフィックを送信する方法の上述のステップのうちのいずれかをプロセッサにより実行する命令を含む。
【００５８】
本発明の第８の態様は、コンピュータ可読命令を含むデータ記憶媒体を提供する。前記コンピュータ可読命令は、プロセッサ上で使用可能なリソースへのアクセスを提供する。コンピュータ可読命令は、通信ネットワークにおいて送信トラフィックをフレーム化する方法の上述のステップのうちのいずれかをプロセッサにより実行する命令を含む。
【００５９】
本発明の第９の態様は、コンピュータ可読命令を含むデータ記憶媒体を提供する。前記コンピュータ可読命令は、プロセッサ上で使用可能なリソースへのアクセスを提供する。コンピュータ可読命令は、通信ネットワークにおいてトラフィックの送信を制御する方法の上述のステップのうちのいずれかをプロセッサにより実行する命令を含む。
【図面の簡単な説明】
【００６０】
【図１】図１は、本発明の第１の実施形態に従って通信ネットワークにおいてトラフィックを送信する方法のステップを示す図である。
【図２】図２は、本発明の第２の実施形態に従って通信ネットワークにおいてトラフィックを送信する方法のステップを示す図である。
【図３】図３は、本発明の第３の実施形態に従って通信ネットワークにおいてトラフィックを送信する方法のステップを示す図である。
【図４】図４は、本発明の第５の実施形態に従って通信ネットワークにおいてトラフィックを送信する方法のステップを示す図である。
【図５】図５は、本発明の第６の実施形態に従って通信ネットワークにおいてトラフィックを送信する方法のステップを示す図である。
【図６】図６は、光伝送ネットワークフレームを示す図である。
【図７】図７は、本発明の第８の実施形態に従って通信ネットワークにおいてトラフィックを送信する方法のステップを示す図である。
【図８】図８は、本発明の第１０の実施形態に従って通信ネットワークにおいてトラフィックを送信する方法のステップを示す図である。
【図９】図９は、本発明の第１２の実施形態に従って通信ネットワークにおいてトラフィックを送信する方法のステップを示す図である。
【図１０】図１０は、本発明の第１３の実施形態に従って通信ネットワークにおいてトラフィックを送信する方法のステップを示す図である。
【図１１】図１１は、本発明の第１５の実施形態に係る通信ネットワーク送信要素を示す概略図である。
【図１２】図１２は、本発明の第１６の実施形態に係る通信ネットワーク送信要素を示す概略図である。
【図１３】図１３は、本発明の第１８の実施形態に係る通信ネットワーク送信要素を示す概略図である。
【図１４】図１４は、本発明の第２０の実施形態に係る通信ネットワーク要素を示す概略図である。
【図１５】図１５は、本発明の第２１の実施形態に係る通信ネットワーク要素を示す概略図である。
【図１６】図１６は、本発明の第２２の実施形態に係る通信ネットワーク要素を示す概略図である。
【図１７】図１７は、本発明の第２３の実施形態に係る通信ネットワークを示す概略図である。
【図１８】図１８は、本発明の第２４の実施形態に係る通信ネットワークを示す概略図である。
【図１９】図１９は、本発明の第２５の実施形態に従って通信ネットワークにおいて送信トラフィックをフレーム化する方法のステップを示す図である。
【図２０】図２０は、本発明の第２６の実施形態に従って通信ネットワークにおいて送信トラフィックをフレーム化する方法のステップを示す図である。
【図２１】図２１は、本発明の第２８の実施形態に従って通信ネットワークにおいてトラフィックの送信を制御する方法のステップを示す図である。
【図２２】図２２は、本発明の第２９の実施形態に従って通信ネットワークにおいてトラフィックの送信を制御する方法のステップを示す図である。
【発明を実施するための形態】
【００６１】
図１は、本発明の第１の実施形態に従って通信ネットワークにおいてトラフィックを送信する方法１０のステップを示す。
方法１０は、クライアントビットレートを有し且つ送信されるトラフィックを含むクライアント信号を受信すること（１２）と、クライアントビットレートを示すインジケータを監視すること（１４）とを含む。方法１０は、トラフィックを送信する送信ビットレートを設定すること（１６）を更に含む。送信ビットレートは、クライアントビットレートに依存して設定される。送信装置により送信ビットレートでトラフィックを送信するように構成された制御信号が生成されて送信される（１８）。
【００６２】
この方法は、光伝送ネットワーク（ＯＴＮ）及び同期デジタル階層（ＳＤＨ）ネットワークを含むあらゆる種類の通信ネットワークに適用されてもよい。
【００６３】
クライアント信号は、送信されるトラフィックを搬送する１つの信号を含んでいてもよいし、又は送信されるトラフィックを各々が搬送する複数の信号の集合を含んでもよい。従って、クライアントビットレートは、単一の信号のビットレート又は複数の集合信号の総ビットレートを含んでもよい。
【００６４】
送信ビットレートは、送信装置がトラフィックの単一のストリームを送信する速度を示す。従って、制御信号が制御するのは、送信装置がトラフィックを送信する実際の速度であって、トラフィックの複数のストリームが異なるタイムスロットで送信される時分割多重（ＴＤＭ）送信において実現可能な実効的な送信ビットレートではない。トラフィックストリームに対して実効的な送信ビットレートは、ＴＤＭ送信において実現可能であり、トラフィックが各タイムスロット内で送信される速度すなわち送信装置がデータを送信する速度とは異なっており、トラフィックのストリームが送信されるタイムスロットの数及び割り当てに依存する。
【００６５】
ネットワークにわたってトラフィックを送信できる最大送信ビットレートを下回るクライアントビットレートを有するクライアント信号を受信することに応じて、この方法により送信ビットレートを低下させられる可能性がある。送信装置がトラフィックを送信する時の送信ビットレートを低下させることにより、トラフィックの送信中の送信装置の消費電力を減少できる。従って、送信装置の消費電力は、受信したトラフィック負荷に一致するように変動させることができる。この方法により、連続的だがネットワーク又は送信装置の能力に対する最大より低い送信ビットレートでトラフィック送信を継続させることができるため、現在導入済みの波長分割多重ネットワークインフラストラクチャと組み合わせてこの方法を使用可能とすることができる。
【００６６】
本発明の第２の実施形態に従って通信ネットワークにおいてトラフィックを送信する方法２０のステップを図２に示す。方法２０は、図１の方法１０に類似し、以下の変形を含む。同一の図中符号は、対応するステップに対して保持される。
【００６７】
本実施形態において、送信ビットレートは、クライアントビットレートに依存してマスタビットレートに対する分割率を判定することで設定される（２２）。制御信号は、マスタビットレートでマスタクロック信号を受信し且つ分割率でマスタクロック信号を分割することにより生成されたクロック信号を含む（２４）。次に制御信号は、送信装置に送信され、送信装置により設定されている送信ビットレートでトラフィックを送信する（２６）。
【００６８】
これにより、送信ビットレートを設定し且つ制御信号を生成する単純な機構を提供してもよい。送信ビットレートは分割率を変更することで変動するが、マスタクロック信号は一定のマスタビットレートを有する。これにより、入力信号にロックされた一定のビットレートで動作できる受信機でのクロックの再生が容易になるだろう。
【００６９】
本発明の第３の実施形態に従って通信ネットワークにおいてトラフィックを送信する方法３０のステップを図３に示す。方法３０は、図２の方法２０に類似し、以下の変形を含む。同一の図中符号は、対応するステップに対して保持される。
【００７０】
本実施形態において、送信ビットレートは、クライアントビットレートに依存して分割率の集合から分割率を選択することで設定される（３２）。分割率を判定するのではなく分割率の集合の中から適切な分割率を１つ選択すればよいため、これにより方法の動作が更に簡略化されるだろう。
【００７１】
第４の実施形態において、分割率を選択するステップは、分割率の集合から複数の分割率を選択することを更に含む。中間送信ビットレートは、選択された分割率の各々の間で周期的に切り替わることで設定されてもよい。中間送信ビットレートは、選択された分割率での送信ビットレートの平均である。
【００７２】
本発明の第５の実施形態に従って通信ネットワークにおいてトラフィックを送信する方法４０のステップを図４に示す。
【００７３】
方法４０は、第１のクライアントビットレートを有し且つ送信される第１のトラフィックを含む第１のクライアント信号を受信すること（４２）と、次に第２のクライアントビットレートを有し且つ送信される第２のトラフィックを含む第２のクライアント信号を受信すること（４４）とを含む。第１の送信ビットレートは、第１のクライアントビットレートに依存して設定され（４６）、第２の送信ビットレートは、第２のクライアントビットレートに依存して設定される（４８）。第１の制御信号が生成されて送信され、第１の制御信号は、フレーマにより第１の送信ビットレートで第１のトラフィックを１つ以上の第１のフレームにフレーム化するように構成される（５０）。第２の制御信号が生成されて送信され、第２の制御信号は、フレーマにより第２の送信ビットレートで第２のトラフィックを１つ以上の後続フレームにフレーム化するように構成される（５２）。第２の送信ビットレートが第１の送信ビットレートとは異なる場合、第２の制御信号は、フレーマによりフレーム境界において第１の送信ビットレートから第２の送信ビットレートへの変更を実現するように更に構成される。フレーム境界においてのみ送信ビットレートを変更することにより、第１の送信ビットレートから第２の送信ビットレートへのクリーンな転換が実現されることを保証してもよく、第１のフレームから後続フレームへのトラフィックの流出を防止してもよい。
【００７４】
図５は、本発明の第６の実施形態に従って通信ネットワークにおいてトラフィックを送信する方法６０のステップを示す。本実施形態の方法４０は、前述の実施形態の方法４０に類似し、以下の変形を含む。同一の図中符号は、対応するステップに対して保持される。
【００７５】
本実施形態において、第１の制御信号は、フレーマにより１つ以上の第１のフレームのペイロードにおいて第１のトラフィックをフレーム化するように構成される（６２）。第１の制御信号は、フレーマにより第１のフレームのオーバヘッドにおいて第２の送信ビットレートを示す情報を提供するように更に構成される（６２）。これにより、トラフィックを受信する受信機は、送信ビットレートの変化を追跡し且つ異なる送信ビットレートでトラフィックを受信する準備ができてもよい。
【００７６】
本発明の第７の実施形態において、トラフィックがフレーム化されるそのフレームは、光伝送ネットワーク（ＯＴＮ）フレームである。ＩＴＵ−Ｔ勧告Ｇ．７０９の要件を満たすＯＴＮフレームの概略図を図６に示す。
【００７７】
ＯＴＮフレーム７０は、各々が４０８０個のバイト（列）７４を含む４つの行７２を含む。各行のバイト１〜１４は、光チャネル伝送ユニット（ＯＴＵ）オーバヘッド及び光チャネルデータユニット（ＯＤＵ）オーバヘッド７６を含む。各行のバイト１５及び１６は、光チャネルペイロードユニット（ＯＰＵ）オーバヘッド７８を含む。フレーム７０のペイロード８０は各行のバイト１７〜３８２４を含み、順方向誤り訂正（ＦＥＣ）情報８２は、各行のバイト３８２５〜４０８０に割り当てられる。
【００７８】
この例において、第２の送信ビットレートを示す情報は、トラフィックの送信と組み合わせて使用されていないオーバヘッドのあらゆる使用可能なバイトで提供されてもよい。特にこの情報は、行１及び２のどちらか一方のバイト１５、行３のバイト１３〜１５の１つ、並びに行４のバイト９〜１４及び１６の１つのうちの１つにおいて提供されてもよい。
送信エラーに対する冗長性は、オーバヘッド７６、７８の行７２のうちの２つ以上のバイトを使用することで提供されてもよい。
【００７９】
第２の送信ビットレートを示す情報は、第２のビットレートがマスタビットレート、１／２のマスタビットレート、１／３のマスタビットレート及び１／４のマスタビットレートのうちの１つを含むことを示すように符号化された複数のビットを含む。
【００８０】
この例において、００１はマスタビットレートを示すために、０．１０は１／２のマスタビットレートを示すために、１００は１／３のマスタビットレートを示すために及び１１０は１／４のマスタビットレートを示すために使用される。
【００８１】
図７は、本発明の第８の実施形態に従って通信ネットワークにおいてトラフィックを送信する方法９０のステップを示す。本実施形態の方法９０は、図１の方法１０に類似し、以下の変形を含む。同一の図中符号は、対応するステップに対して保持される。
【００８２】
本実施形態において、方法９０は、受信機装置において送信トラフィックを受信すること（９２）と、送信ビットレートの値が使用可能であるかを判定すること（９４）とを更に含む。送信ビットレートの値が使用不可の場合、方法は、更なる送信装置によりリカバリ信号を生成して送信すること（９６）を更に含む。リカバリ信号は、送信装置によりデフォルト送信ビットレートでトラフィックを送信するように構成される。従って、逆方向情報は、受信機装置から送信装置に送出され、受信機装置のビットレートの低下を送信装置に通知してもよい。デフォルト送信ビットレートでトラフィックを送信することにより、受信機装置において送信ビットレートとフレームとの同期を取り戻すことが容易になるだろう。
【００８３】
本発明の第９の実施形態は、前述の実施形態と同一の方法ステップを有する通信ネットワークにおいてトラフィックを送信する方法を提供し、以下の変形を含む。本実施形態において、リカバリ信号は、リモート送信装置によりデフォルト送信ビットレートで伝送信号上のトラフィックを再送信するように構成される。従って、ビットレートが使用不可であったトラフィックが再送信されるため、トラフィックを損失する危険性は減少するだろう。
【００８４】
本発明の第１０の実施形態に従って通信ネットワークにおいてトラフィックを送信する方法１００のステップを図８に示す。本実施形態の方法１００は、図７の方法９０に類似し、以下の変形を含む。同一の図中符号は、対応するステップに対して保持される。
【００８５】
本実施形態において、更なる送信装置は、送信装置によりデフォルト送信ビットレートでトラフィックを送信するように構成されたリカバリ信号を生成するように構成される（１０２）。リカバリ信号はフレームのペイロードにおいてフレーム化され、リカバリ信号識別子はフレームのオーバヘッドにおいて提供される（１０４）。リカバリ信号は、所定のリカバリ信号送信ビットレートで送信される（１０４）。本発明の第１１の実施形態は、前述の実施形態の方法１００に類似する通信ネットワークにおいてトラフィックを送信する方法を提供する。本実施形態の方法は方法１００と同一のステップを備え、リカバリ信号識別子は、フレームのオーバヘッドにおいて提供される１０として符号化された２つのビットを含む（１０４）。
【００８６】
図９は、本発明の第１２の実施形態に従って通信ネットワークにおいてトラフィックを送信する方法１１０のステップを示す。本実施形態の方法１１０は、図１の方法１０に類似し、以下の変形を含む。同一の図中符号は、対応するステップに対して保持される。
【００８７】
クライアントビットレートを示すインジケータは、クライアントビットレート信号を含む。本実施形態の方法は、ネットワーク管理システムからクライアントビットレートを示すクライアントビットレート信号を受信することを備える。
【００８８】
図１０は、本発明の第１３の実施形態に従って通信ネットワークにおいてトラフィックを送信する方法３００のステップを示す。本実施形態の方法３００は、図１の方法１０に類似し、以下の変形を含む。同一の図中符号は、対応するステップに対して保持される。
【００８９】
本実施形態において、クライアントビットレートは、入力トラフィック待ち行列バッファにおいてクライアント信号を受信すること（３０２）と、バッファが充填される速度を監視すること（３０４）とにより判定される。
【００９０】
送信ビットレートは、充填速度に依存して設定される（３０６）。
入力トラフィック待ち行列が充填される場合にトラフィックがより高い送信ビットレートで送信されるため、待ち行列バッファを使用することにより遅延時間変動は減少するだろう。
【００９１】
本発明の第１４の実施形態は、図１０の方法３００に類似する通信ネットワークにおいてトラフィックを送信する方法を提供する。
【００９２】
本実施形態において、待ち行列バッファが充填される速度は、待ち行列バッファの充填レベルが閾値に到達する時を監視することで監視される。
【００９３】
本発明の第１５の実施形態は、図２の方法２０に類似する通信ネットワークにおいてトラフィックを送信する方法を提供する。本実施形態の方法は方法２０と同一のステップを備え、分割率を判定するステップは送信装置の温度を取得することを更に含み、分割率は温度に依存して設定される。周辺温度に依存して送信ビットレートが低下することにより、送信装置を冷却するのに必要な電力は減少するだろう。従って、方法は、周辺温度が閾値を超えて上昇する場合に送信ビットレートが低下するように使用されてもよい。
【００９４】
図１１を参照すると、本発明の第１６の実施形態は、通信ネットワーク送信要素１２０を提供する。通信ネットワーク送信要素１２０は、入力部１２２と、クライアント信号監視装置１２６と、送信ビットレート制御装置１２８と、送信装置１３０とを備える。
【００９５】
入力部１２２は、クライアントビットレートを有し且つ送信されるトラフィックを含むクライアント信号１２４を受信するように構成される。クライアント信号監視装置１２６は、クライアントビットレートを示すインジケータを監視し、且つクライアントビットレート信号１３４を送信ビットレート制御装置に送信するように構成される。送信ビットレート制御装置１２８は、受信したトラフィックを送信する送信ビットレートを設定するように構成される。送信ビットレートは、クライアントビットレート信号１３４により示されたようなクライアントビットレートに依存して設定される。送信ビットレート制御装置は、送信装置１３０により送信ビットレートでトラフィックを送信するように構成された制御信号１３６を生成して送信するように更に構成される。送信装置１３０は、制御信号１３６を受信し且つトラフィックを搬送する伝送信号１３２を生成して送信するように構成される。
【００９６】
送信要素１２０は、送信要素の最大送信ビットレート能力を下回るクライアントビットレートを有するクライアント信号を受信することに応答して、送信ビットレートの低下を行ってもよい。このように、送信装置の消費電力は、減少され且つ受信したトラフィック負荷に一致するように変動してもよい。送信要素１２０は、連続的だが最大能力より低い送信ビットレートでトラフィックを送信できる。従って、送信要素１２０は、現在インストールされているＷＤＭネットワークインフラストラクチャ内で使用されてもよい。
【００９７】
図１２に示したように、本発明の第１７の実施形態は、通信ネットワーク送信要素１４０を提供する。送信要素１４０は、図１０の送信要素１２０に類似し、以下の変形を含む。同一の図中符号は、対応する機能に対して保持される。
【００９８】
本実施形態において、送信要素１４０は、ＩＴＵ−Ｔ勧告Ｇ．７０９により規定されるような光伝送ネットワーク（ＯＴＮ）のソース終端を含む。
【００９９】
ソース終端１４０は、クライアントビットレートを有し且つ送信トラフィックを含むクライアント信号を受信するように構成されたクライアント信号インタフェース１４２を含む。クライアント信号問合せ装置１２６は、この例においてクライアント信号インタフェース１４２からクライアント信号を受信するように構成される先入れ先出し（ＦＩＦＯ）バッファの形態をとる待ち行列バッファを含む。クライアント信号がＦＩＦＯバッファ１２６において受信される時にバッファの充填レベルが監視され、充填レベルが閾値に到達すると、閾値が到達した充填レベル信号１２７は、送信ビットレート制御装置１２８に送信される。
【０１００】
この例において、送信ビットレート制御装置１２８は、制御器１４４と、クロック１４６と、分割器１４８とを備える。制御器１４４は、充填レベル信号１２７を受信し且つ充填レベルに依存して分割率を判定するように構成される。クロック１４６は、マスタビットレートを有するマスタクロック信号１４７を生成するように構成される。分割器１４８は、制御器１４４から分割率信号１４５を受信し、且つ分割率でマスタクロック信号１４７を分割して制御信号１５６を形成するように構成される。
【０１０１】
送信装置１３０は、適応層１５０と、例えば汎用フレーミング手順（ＧＦＰ）と、フレーマ１５２と、変調器１５４とを含む。適応層１５０は、ＦＩＦＯバッファ１２６から送信トラフィックを受信し、且つジッタの除去及びフレームのオーバヘッドにおいて提供されるデータの追加を含むフレーマ１５２によるフレーム化用のトラフィックを準備するように構成される。
【０１０２】
送信ビットレートは、充填レベルに依存して分割率を変更することで変動するが、マスタクロック信号１４７は一定のマスタビットレートを有する。
【０１０３】
この例において、充填レベルに依存して分割率の集合から選択される分割率は、制御器１４４内で提供されたその集合から選択される。
【０１０４】
図１３に示すように、本発明の第１８の実施形態は通信ネットワーク送信要素１６０を提供する。本実施形態の送信要素１６０は、ここでもＯＴＮのソース終端を含み、図１２のソース終端１４０に類似し、以下の変形を含む。同一の図中符号は、対応する機能に対して保持される。
【０１０５】
本実施形態において、ソース終端１６０は、第１のクライアントビットレートを有し且つ送信される第１のトラフィックを含む第１のクライアント信号１６６を受信し、且つ次に第２のクライアントビットレートを有し且つ送信される第２のトラフィックを含む第２のクライアント信号１６７を受信するように構成される。制御器１４４は、第１のトラフィックを送信する第１のクライアントビットレートに依存して第１の送信ビットレートを設定するように構成される。これは、第１のクライアント信号に対してＦＩＦＯバッファ１２６から受信した充填レベル信号１２７に依存して分割率を判定する制御器１４４により実行される。制御器１４４は、第２のトラフィックを送信する第２の送信ビットレートを設定するために、同様に第２のクライアント信号１６７に対する分割率を判定するように構成される。クロック信号１４７は、第１の分割率で分割され、フレーマ１５２により第１の送信ビットレートで第１のトラフィックを１つ以上の第１のフレームにフレーム化するように構成された第１の制御信号１６８を提供する。次にクロック信号１４７は、第２の分割率で分割され、フレーマにより第２の送信ビットレートで第２のトラフィックを１つ以上の後続フレームにフレーム化するように構成された第２の制御信号１６９を生成する。
【０１０６】
第２の送信ビットレートが第１の送信ビットレートとは異なる場合、第２の制御信号１６９は、フレーマ１５２によりフレーム境界において第１の送信ビットレートから第２の送信ビットレートへの変更を実現するように更に構成される。フレーム境界においてのみビットレートを変更させることにより、第１の送信ビットレートから第２の送信ビットレートへのクリーンな転換が実現されることを保証してもよく、第１のフレームから後続フレームへのトラフィックの流出を防止してもよい。
【０１０７】
制御器１４４は、フレーマ１５２に送信される第１の送信ビットレート及び第２の送信ビットレートを示すビットレートコード信号１５１を生成して送信するように更に構成されてもよい。
【０１０８】
第１の制御信号１６８は、フレーマ１５２により１つ以上の第１のフレームのペイロードにおいて第１のトラフィックをフレーム化するように構成される。第１の制御信号は、フレーマ１５２により少なくとも１つの第１のフレームのオーバヘッドにおいて第２の送信ビットレートを示す情報を提供するように更に構成される。
【０１０９】
ソース終端１６０は、リカバリ信号１６４を受信するように構成された受信機１６２を更に備える。リカバリ信号は、送信装置１３０によりデフォルト送信ビットレートでトラフィックを搬送する伝送信号を送信するように構成される。リカバリ信号により、フレーマ１５２はデフォルト送信ビットレートでトラフィックをフレーム化する。
【０１１０】
従って、ソース終端１６０は、信号１５２を搬送するトラフィックが送信されているリモート送信装置から逆方向情報を受信し、且つリモート送信装置がビットレートの低下をソース終端１６０に通知できる。
【０１１１】
第１９の実施形態において、ソース終端１６０は、周辺温度であってもよいソース終端１６０の温度を測定するように構成された温度計を更に備えてもよい。制御器１４４は、周辺温度を示す温度計から温度信号を受信するように構成され、温度に依存して分割率を設定するように更に構成される。従って、送信ビットレートは、温度が閾値を超える周辺温度に依存して低下してよく、これはソース終端に対して必要な冷却量を減少するために望ましい。これは、クライアントビットレートが送信装置の最大送信ビットレート能力を下回る場合に実行されてもよい。
【０１１２】
図１４に示すように、本発明の第２０の実施形態は通信ネットワーク要素１７０を提供する。
【０１１３】
通信ネットワーク要素１７０は、入力部１７２と、伝送信号問合せ装置１７６と、ローカル送信装置１７８とを備える。入力部１７２は、送信ビットレートを有するトラフィックを搬送する伝送信号１７４を受信するように構成される。伝送信号問合せ装置１７６は、送信ビットレートの値が使用可能であるかを判定するように構成される。値が送信ビットレートに対して使用不可の場合、伝送信号問合せ装置は、リモート送信装置によりデフォルト送信ビットレートでトラフィックを搬送する伝送信号を送信するように構成されたリカバリ信号１８０を生成するように更に構成される。ローカル送信装置１７８は、リカバリ信号１８０を送信するように構成される。
【０１１４】
従って、通信ネットワーク要素１７０は、例えば更なるネットワーク要素において逆方向情報をリモート送信装置に提供して、ネットワーク要素がビットレートの低下を送信装置に通知してもよい。リモート送信装置によりデフォルト送信ビットレートでトラフィックを送信又は再送信することにより、ネットワーク要素１７０において送信ビットレートとフレームとの同期を取り戻すことが容易になるだろう。
【０１１５】
図１５は、本発明の第２１の実施形態に係る通信ネットワーク要素１９０を示す。通信ネットワーク要素１９０は、図１４のネットワーク要素１７０に類似し、以下の変形を含む。同一の図中符号は、対応する機能に対して保持される。
【０１１６】
本実施形態の通信ネットワーク要素１９０は、ＩＴＵ−Ｔ勧告Ｇ．７０９により規定されるようなＯＴＮのシンク終端を含む。
【０１１７】
シンク終端１９０は、伝送信号１７４を受信するように構成された受信機軟判定等化器１９２を備える。受信機１９２は、受信した光信号を電気信号に変換してデフレーマ１９４に送信するように構成される。デフレーマ１９４は、トラフィックをデフレーム化し、且つオーバヘッドを除去し且つトラフィックを待ち行列バッファ１９８に送信するように構成された適応層１９６にトラフィックを送信するように構成される。待ち行列バッファ１９８は、トラフィックの全パケットが受信されるまでデフレーム化トラフィックを受信及び保有するように構成される。その後、トラフィックは、順方向の送信又は処理のためにトラフィックを出力クライアント信号に変換するように構成された出力クライアント信号インタフェースに送信される。
【０１１８】
デフレーマ１９４は、後続フレームに対する送信ビットレートに関連するフレームオーバヘッドから情報を検索し、且つ今後の参考に送信ビットレートを格納するように構成される伝送信号問合せ装置１７６にビットレートコード信号２０６を送信するように構成される。
【０１１９】
トラフィックを搬送する伝送信号１２４を受信する際、伝送信号問合せ装置１７６は、信号に対する送信ビットレートの値が使用可能であるかを判定するように構成される。送信ビットレートが以前に受信されていないかあるいは低下している場合、伝送信号問合せ装置１７６は、上述したようにリカバリ信号１８０を生成するように構成される。
【０１２０】
この例において、伝送信号問合せ装置１７６は、デフレーマ１９４に対して制御信号２０８を生成する分割率を判定するように更に構成される。分割率はビットレートに従って設定され、分割率制御信号２０９は分割器２０４に送信される。デフレーマに対する制御信号２０８は、マスタクロック２０２により生成されたクロック信号を分割率で分割することにより生成される。
【０１２１】
本発明の第２２の実施形態に係る通信ネットワーク要素２１０を図１６に示す。本実施形態のネットワーク要素２１０は、図１３のネットワーク要素１７０に類似し、以下の変形を含む。同一の図中符号は、対応する機能に対して保持される。
【０１２２】
本実施形態において、ローカル送信装置１７８は、所定のリカバリ信号送信ビットレートでリカバリ信号２１２を送信するように構成される。ローカル送信装置１７８は、フレームのペイロードにおいてリカバリ信号をフレーム化し、且つフレームのオーバヘッドにおいてリカバリ信号識別子を提供するように構成される。リカバリ信号識別子は、１０として符号化された２つのビットを含む。
【０１２３】
本発明の第２３の実施形態は、図１７に示すような通信ネットワーク２２０を提供する。
通信ネットワーク２２０は、図１１に示したような通信ネットワーク送信要素１２０と、伝送リンク２２２と、図１４に示したような通信ネットワーク要素１７０とを含む。
【０１２４】
図１８は、本発明の第２４の実施形態に係る通信ネットワーク２３０を示す。
通信ネットワーク２３０は、図１２に示したようなソース終端１４０と、伝送リンク２３２と、図１５に示したようなシンク終端１９０とを含む。
【０１２５】
本発明の第２５の実施形態は、通信ネットワークにおいて送信トラフィックをフレーム化する方法２４０を提供する。方法２４０のステップを図１９に示す。
方法２４０は、第１のクライアントビットレートを有し且つ第１の送信ビットレートで送信される第１のトラフィックを含む第１のクライアント信号を受信すること（２４２）と、第２のクライアントビットレートを有し且つ第２の送信ビットレートで送信される第２のトラフィックを含む第２のクライアント信号を受信すること（２４４）とを含む。方法は、制御信号を生成して送信すること（２４６）を更に含む。制御信号は、フレーマによりフレームのペイロードにおいて第１のトラフィックの一部をフレーム化するように構成される。制御信号は、フレーマによりフレームのオーバヘッドにおいて第２の送信ビットレートを示す情報を提供するように更に構成される。
【０１２６】
従って、後続フレームに対する送信ビットレートを示す情報は、受信機装置が後続の送信ビットレートでトラフィックを受信する準備ができるようにしてもよい第１のフレームと共に送出されてもよい。
【０１２７】
本発明の第２６の実施形態に従って通信ネットワークにおいて送信トラフィックをフレーム化する方法２５０のステップを図２０に示す。
方法２５０は、第１のクライアントビットレートを有し且つ送信される第１のトラフィックを含む第１のクライアント信号を受信すること（２５２）と、第２のクライアントビットレートを有し且つ送信される第２のトラフィックを含む第２のクライアント信号を受信すること（２５４）とを含む。方法は、第１のクライアントビットレートに依存して第１のトラフィックを送信する第１の送信ビットレートを設定すること（２５６）と、第２のクライアントビットレートに依存して第２のトラフィックを送信する第２の送信ビットレートを設定すること（２５８）とを含む。
【０１２８】
方法２５０は、フレーマによりフレームのペイロードにおいて第１のトラフィックの一部をフレーム化するように構成された制御信号を生成して送信すること（２６０）を更に含む。制御信号は、フレーマによりフレームのオーバヘッドにおいて第２の送信ビットレートを示す情報を提供するように更に構成される（２６０）。
【０１２９】
従って、送信ビットレートは、ネットワークにわたりトラフィックを送信できる最大送信ビットレートを下回るクライアントビットレートを有するクライアント信号を受信することに応答して低下してもよい。送信ビットレートの低下により、トラフィックの送信中の消費電力は減少するだろう。方法により、受信したトラフィック負荷に一致するように消費電力を変動できてもよい。方法により、連続的だがネットワークに対する最大より低い送信ビットレートでトラフィック送信を継続できてもよいため、現在インストールされている波長分割多重ネットワークインフラストラクチャと組み合わせて方法を使用できてもよい。
【０１３０】
本発明の第２７の実施形態において、図６に関連して上述したように、トラフィックがフレーム化されるフレームは光伝送ネットワーク（ＯＴＮ）フレームである。
第２の送信ビットレートを示す情報は、トラフィックの送信と組み合わせて使用されていないオーバヘッドのあらゆる使用可能なバイトで提供されてもよい。特にこの情報は、行１及び２のどちらか一方のバイト１５、行３のバイト１３〜１５の１つ、並びに行４のバイト９〜１４及び１６の１つのうちの１つにおいて提供されてもよい。
送信エラーに対する冗長性は、オーバヘッド７６、７８の行７２のうちの２つ以上のバイトを使用することで提供されてもよい。
【０１３１】
第２の送信ビットレートを示す情報は、第２のビットレートがマスタビットレート、マスタビットレートの１／２、マスタビットレートの１／３及びマスタビットレートの１／４のうちの１つを含むことを示すように符号化された複数のビットを含む。
【０１３２】
この例において、００１はマスタビットレートを示すために、０１０はマスタビットレートの１／２を示すために、１００はマスタビットレートの１／３を示すために及び１１０はマスタビットレートの１／４を示すために使用される。
【０１３３】
本発明の第２８の実施形態に従って通信ネットワークにおいてトラフィックの送信を制御する方法２７０のステップを図２１に示す。
方法２７０は、トラフィックを搬送し且つ送信ビットレートを有する伝送信号を受信すること（２７２）を備える。この方法は、送信ビットレートの値が使用可能であるかを判定することを更に含む。送信ビットレートの値が使用不可の場合、方法は、ローカル送信機装置によりリカバリ信号を送信すること（２７６）を含む。リカバリ信号は、リモート送信装置によりデフォルト送信ビットレートでトラフィックを送信するように構成される。
【０１３４】
従って、逆方向情報は、ローカル送信装置からリモート送信装置に送出されて、ビットレートが伝送信号に対して使用不可であることをリモート送信装置に通知してもよい。リモート送信装置によりデフォルト送信ビットレートでトラフィックを送信することにより、送信ビットレートとフレームとの同期を取り戻すことが容易になるだろう。
【０１３５】
本発明の第２９の実施形態に従って通信ネットワークにおいてトラフィックの送信を制御する方法２８０のステップを図２２に示す。
本実施形態の方法２８０は、前述の実施形態の方法２７０に類似し、以下の変形を含む。同一の図中符号は、対応するステップに対して保持される。
本実施形態において、方法は、リモート送信装置によりデフォルト送信ビットレートでトラフィックを送信するように構成されたリカバリ信号をローカル送信装置に生成させること（２８２）を含む。リカバリ信号はフレームのペイロードにおいてフレーム化され、リカバリ信号識別子はフレームのオーバヘッドにおいて提供される（２８４）。リカバリ信号は、所定のリカバリ信号送信ビットレートで送信される（２８４）。
【０１３６】
本発明の第３０の実施形態は、コンピュータ可読命令を含むデータ記憶媒体を提供する。前記コンピュータ可読命令は、プロセッサ上で使用可能なリソースへのアクセスを提供する。コンピュータ可読命令は、上述した第１の実施形態〜第１３の実施形態に従って通信ネットワークにおいてトラフィックを送信するいずれかの方法のステップをプロセッサにより実行する命令を含む。
【０１３７】
データ記憶媒体は、コンパクトディスク、デジタル多用途ディスク又は電子メモリ等のメモリ素子、あるいは通信信号を含んでもよい。
【０１３８】
本発明の第３１の実施形態は、コンピュータ可読命令を含むデータ記憶媒体を提供する。前記コンピュータ可読命令は、プロセッサ上で使用可能なリソースへのアクセスを提供する。コンピュータ可読命令は、上述した第２３の実施形態〜第２５の実施形態に従って通信ネットワークにおいて送信トラフィックをフレーム化するいずれかの方法のステップをプロセッサにより実行する命令を含む。
データ記憶媒体は、コンパクトディスク、デジタル多用途ディスク又は電子メモリ等のメモリ素子、あるいは通信信号を含んでもよい。
【０１３９】
本発明の第３２の実施形態は、コンピュータ可読命令を含むデータ記憶媒体を提供する。前記コンピュータ可読命令は、プロセッサ上で使用可能なリソースへのアクセスを提供する。コンピュータ可読命令は、上述した第２６の実施形態及び第２７の実施形態に従って通信ネットワークにおいてトラフィックの送信を制御するいずれかの方法のステップをプロセッサにより実行する命令を含む。
データ記憶媒体は、コンパクトディスク、デジタル多用途ディスク又は電子メモリ等のメモリ素子、あるいは通信信号を含んでもよい。
【図１】
2013541262.tif 000003
【図２】
2013541262.tif 000004
【図３】
2013541262.tif 000005
【図４】
2013541262.tif 000006
【図５】
2013541262.tif 000007
【図６】
2013541262.tif 000008
【図７】
2013541262.tif 000009
【図８】
2013541262.tif 000010
【図９】
2013541262.tif 000011
【図１０】
2013541262.tif 000012
【図１１】
2013541262.tif 000013
【図１２】
2013541262.tif 000014
【図１３】
2013541262.tif 000015
【図１４】
2013541262.tif 000016
【図１５】
2013541262.tif 000017
【図１６】
2013541262.tif 000018
【図１７】
2013541262.tif 000019
【図１８】
2013541262.tif 000020
【図１９】
2013541262.tif 000021
【図２０】
2013541262.tif 000022
【図２１】
2013541262.tif 000023
【図２２】
2013541262.tif 000024
【国際調査報告】
2013541262.tif 000025
2013541262.tif 000026
2013541262.tif 000027
2013541262.tif 000028
2013541262.tif 000029
2013541262.tif 000030
2013541262.tif 000031